(57)【特許請求の範囲】
【請求項１】
戸本体と、パネル体とを備え、戸本体は、係止部を設けた上框と、載置部を設けた下框と、右側又は左側に位置し且つ長手方向に沿って係合部を設けた一方の竪框と、固定部を設けた他方の竪框とを有し、パネル体は、上框の係止部に上から係止する被係止部を設けた上取付枠と、下框の載置部に載る被載置部を設けた下取付枠と、一方の竪框の係合部に框の外周側から係合する被係合部を設けた一方の竪取付枠と、他方の竪框の内周側に位置し且つ他方の竪框の固定部に他方の竪框の外周側からねじで止める被固定部を設けた他方の竪取付枠とを有し、パネル体は、他方の竪取付枠を他方の竪框に固定するねじを外したときに、一方の竪取付枠と一方の竪框との係合及び上取付枠と上框との係止を解除し他方の竪取付枠を面外方向に回動することで、戸本体から取外し自在にしてあることを特徴とする戸。
【請求項２】
下框は、載置部の室外側にパネル体の仮置部を有し、仮置部は、パネル体を戸本体に取付ける時又は取外す時に載置部の室外側に位置する被載置部を載置可能としてあることを特徴とする請求項１に記載の戸。
【発明の詳細な説明】
【技術分野】
【０００１】
本発明は、開閉扉や引戸等の戸に関する。
【背景技術】
【０００２】
従来、施工後の戸において、パネル体（表面材）が戸本体に分離不可能に固定されていた為、戸本体とパネル体を分離して、パネル体の意匠の変更や、損傷による取替え等をしたいという要求があった。
このような要求に対して、特許文献１には、戸本体の左右及び左右の中間部に設けた取付枠の各々に鉤状の係止溝を上下の複数個所に設け、パネル体には各係止溝に対応する位置に軸部材を設けて、各軸部材を対応する係止溝に係止して戸本体にパネル体を着脱自在に取付けることが開示されている。
【０００３】
【特許文献１】特許第３３７８９８５号公報
【発明の開示】
【発明が解決しようとする課題】
【０００４】
しかし、特許文献１の技術では、戸本体にパネル体を取付けるときには、パネル体の左右及び中間部で且つ上下に設けた複数の軸部材の各々を、対応する位置の各係止溝に略同時に位置合わせする必要があると共に、戸本体の左右の中間部にある係止溝や軸部材が見えにくい為、取付け難いという問題があった。
【課題を解決するための手段】
【０００５】
そこで、本発明の目的は、戸本体に対するパネル体の位置合わせが容易にでき、戸本体にパネル体を容易に取付けできる戸を提供することである。
【０００６】
請求項１に記載の発明は、戸本体と、パネル体とを備え、戸本体は、係止部を設けた上框と、載置部を設けた下框と、右側又は左側に位置し且つ長手方向に沿って係合部を設けた一方の竪框と、固定部を設けた他方の竪框とを有し、パネル体は、上框の係止部に上から係止する被係止部を設けた上取付枠と、下框の載置部に載る被載置部を設けた下取付枠と、一方の竪框の係合部に框の外周側から係合する被係合部を設けた一方の竪取付枠と、他方の竪框の内周側に位置し且つ他方の竪框の固定部に他方の竪框の外周側からねじで止める被固定部を設けた他方の竪取付枠とを有し、パネル体は、他方の竪取付枠を他方の竪框に固定するねじを外したときに、一方の竪取付枠と一方の竪框との係合及び上取付枠と上框との係止を解除し他方の竪取付枠を面外方向に回動することで、戸本体から取外し自在にしてあることを特徴とする。
【０００７】
請求項２に記載の発明は、請求項１に記載の発明において、下框は、載置部の室外側にパネル体の仮置部を有し、仮置部は、パネル体を戸本体に取付ける時又は取外す時に載置部の室外側に位置する被載置部を載置可能としてあることを特徴とする。
【発明の効果】
【０００８】
請求項１に記載の発明によれば、パネル体を戸本体に取付けるときには、パネル体の一方の竪取付け枠に沿って設けた被係合部を、戸本体の一方の竪框の係合部に対向配置して位置合わせをすれば、その後はパネル体を回動してパネル体の見付面と戸本体の見付面を対向させた後、パネル体を他方の竪框側に(框の外周側から框の内周側に)スライドして被係合部を係合部に係合すると共に下方に移動することにより、上取付枠の被係止部を上框の係止部に係止し且つ下取付枠が下框の載置部に載置できるので、後は固定部と被固定部とをねじ固定すれば良い。従って、パネル体と戸本体との位置合わせは、パネル体及び戸本体の左右一方側のみで済むから、パネル体の左右及び中間部で位置合わせが必要な従来と比較して位置合わせ箇所が少なく且つ位置合わせする箇所が見易いので、戸本体にパネル体を容易に取付けできる。
戸本体とパネル体との固定は、他方の竪框の外周側から止めるねじで、竪取付枠と竪框とをねじ止めするので、ねじ止め作業が戸の左右の一方側でできる為、戸の上側を固定する従来技術に比較して固定作業がし易い。
戸を施工する躯体開口部において、躯体や躯体開口部の枠等がパネル体の周囲に近接している場合であっても、パネル体を外すときには、パネル体を一方の竪框側（框の外周側）にわずかにスライドすると共に面外方向（パネル面に垂直な方向）に回動させ、戸本体の見付面に対して斜め方向に引き抜いて外すことができるので、パネル体に近接する躯体や躯体開口部の枠等が邪魔にならずに外すことができる。同様に、パネル体を取り付けるときにも、戸本体の見付面に対してパネル体の見付面を斜めにして、一方の竪取枠を一方の竪框に框の外周側から係合し、パネル体を面外方向に回動させて取り付けできるので、パネル体に近接する躯体や躯体開口部の枠等が邪魔にならずに取付けできる。したがって、戸の施工やパネル体の交換時に、戸の周囲の躯体や躯体の枠等の制約を受け難い。
また、パネル体と戸本体との位置合わせは戸本体の見付面に対してパネル体の見付面を斜めにして一方の竪取付枠を一方の竪框に位置合わせするので、上述のように躯体や躯体開口部の枠等がパネル体の周囲に近接している場合でも、位置合わせ箇所が見易く、取付けが容易にできる。
【０００９】
請求項２に記載の発明によれば、請求項１に記載の作用効果を奏すると共に、パネル体を戸本体から取外すときには、パネル体を持ち上げて上框の係止部からパネル体の被係止部を外して一旦パネル体を仮置部に載置した後、面外方向への回動作業を開始しできるので、パネル体を持ち上げ続ける必要がなく、パネル体を戸本体に取付けるときには、下框にパネル体を仮置きしてからパネル体を持ち上げて上取付枠を戸本体の上框に係止する作業ができるので、パネル体を持ち上げ続ける必要がないから、重量のあるパネル体の取付や取り外し作業の作業性が良い。
【発明を実施するための最良の形態】
【００１０】
以下に、添付図面を参照して本発明の実施の形態を説明する。図１は図４に示す本実施の形態に係る戸のＡ−Ａ断面図であり、図２は図４に示す本実施の形態に係る戸のＢ-Ｂ断面図であり、図３は本実施の形態に係る戸の組立て順序を説明する図であり、（ａ）は戸本体にパネル体を係合するときの状態を示す横断面図であり、（ｂ）は戸本体に対してパネル体を下方に移動するときの状態を示す縦断面図であり、（ｃ）は戸本体とパネル体とをねじ止めするときの状態を示す横断面であり、図４は本実施の形態に係る戸を備えるドアとその周囲部を室内側から見た正面図である。
本実施の形態に係る戸１は、図４に示すように、開きドア３の扉であり、ドア枠５に開閉自在に取付けられている。図１及び図２に示すように、戸１は、戸本体７と、パネル体９とを備えており、パネル体９は戸本体７の室外側見付面に脱着自在に固定されている。
戸本体７は、図２に示す下框１１と、上框１３と、図１に示す左右一方の竪框（戸尻側竪枠）１５と、左右他方の竪框（戸先側竪框）１７を有し、本実施の形態では、一方の竪框１５は吊元側竪框である。
図２に示すように、下框１１は、パネル体９の載置部１９を有し、載置部１９は下框１１の室外側面に下框１１に沿って設けてあり、下框１１にねじ固定されている。載置部１９には、パネル体９をスライド自在に係合するスライド段部２１が形成されている。
上框１３は室外側見付面に縦断面が略Ｌ字状を成す係止部２３を有し、係止部２３は上框１３に沿って設けてあり上框１３にねじ固定されている。係止部２３には上カバー部２５が一体に形成されており、上カバー部２５は、係止部２３の上に間隔を空けて配置されており、上カバー部２５の室外側端はパネル体９の室内側面に当接している。
図１に示すように、一方の竪框１５は横断面が略Ｌ字形状の係合部２７を有し、係合部２７は、外周側に設けた案内部２７ａと、案内部２７ａの内周側に設けた溝部２７ｂとを有しており、溝部２７ｂは案内部２７ａ側を開口している。係合部２７は、竪框１５にその長手方向に沿って配置してあり一方の竪框１５にねじ固定されている。
他方の竪框１７はパネル体９との固定部３３を有している。固定部３２は戸本体７の室外側面に他方の竪框１７に沿って上下に設けてある。
パネル体９は、図２に示す上取付枠３３と下取付枠３５と、図１に示す左右一方の竪取付枠３７と左右他方の竪取付枠３９を室内側見付面に有し、室外側面が化粧面になっている。
尚、パネル体９は、ガラス製、大理石製、鋳物製等のパネルに上下左右の取付枠を固定してあり、重量が約４０ｋｇで通常のドアに比較して重いものである。
図２に示すように、上取付枠３３は、上框１３の係止部２３に上から係止する被係止部４１を有している。被係止部４１は、縦断面が逆向きの略Ｌ字形状をなし、Ｌ字の先端を係止部２３に上から係止している。
下取付枠３５は下框１１の載置部１９に載る被載置部３４を有し、下取付枠３５の室内側部には、下框１１のスライド段部２１に上から挿入するスライド部３５ａが設けられている。スライド部３５ａは下框１１のスライド段部２１をスライド自在になっている。
下框１１には、載置部１９の室外側に仮置部２２が設けてあり、仮置部２２は室外側から室内側に向けて上方に傾斜している。本実施の形態では、仮置部２２の室内側端の高さは、仮置部２２の室内側端に被載置部３４が位置したときに、パネル体９の被係止部４１が戸本体７の係止部２３よりも上方に位置する高さになっている（図５参照）。
図１に示すように、一方の竪取付枠３７は一方の竪框１５に対向して位置し、一方の竪取付枠３７には一方の竪框１５の係合部２７に係合する被係合部４３が設けてある。被係合部４３は、横断面がＬ字形状を成し、先端を係合部２７の案内部２７ａ側から溝部２７ｂ内に挿入して係止されている。尚、被係合部４３は、一方の竪取付枠３７に沿ってその長手方向に設けてある。
他方の竪取付枠３９には戸先側に被固定部４５が設けてある。被固定部４５は、他方の竪框１７の固定部３２の内周側に対向して位置し、外周側から止めるねじ４７で、固定部３２と被固定部４５とが固定されている。
固定部３２の外周側には目板４９が設けてあり、目板４９で固定部３２を止めているねじ４７を外側から遮蔽している。
【００１１】
次に、本実施の形態に係る戸１におけるパネル体９の取付け、取外し、作用及び効果について説明する。
ドア枠５に取付けた後の戸本体７にパネル体９を取付けるときには、図３（ａ）に示すように、パネル体の一方の竪取付枠３７を戸本体７の一方の竪框１５に近づけて、戸本体７の室外側見付面に対してパネル体９の室内側見付面が角度を形成するように斜めに配置し、パネル体９を矢印Ｅ方向（框の外周側から框の内周側）へ移動させることにより、パネル体９の一方の竪取付枠３７に設けた被係合部４３を、戸本体７の一方の竪框１５に設けた係合部２７に係合する。被係合部４３は、係合部２７の案内部２７ａに戸本体７の内周側から当接させ、当接させた状態で係合部２７を回転軸としてパネル体９の室内側見付面を戸本体７の室外側見付面に合わせるように、矢印Ｆ方向（面外方向）に回動する。
そして、図３（ｂ）に示すように、パネル体９の室内側見付面と戸本体７の室外側見付面とが対面した位置で、パネル体９を下方に移動して、戸本体７の下框１３の載置部１９にパネル体９の下取付枠３５の被載置部３４を載置し且つ載置部１９のスライド段部２１にスライド部３５ａが挿入すると共に、パネル体９の上取付枠３５に設けた被係止部４１を戸本体７の上框１３に設けた係止部２３に上から係止する。次に、戸本体７の下框１３にパネル体９の下取付枠３５を載置した状態で、図３（ａ）に矢印Ｇで示すように、パネル体を戸先側（他方の竪框側）にスライド移動する。
次に、図３（ｃ）に示すように、他方の竪枠の固定部３２と他方の竪取付枠の被固定部４５とをねじ４７で固定した後、固定部３２に目板４９を嵌めて、ねじ４７を目板４９で隠す。
一方、パネル体９を戸本体７から外すときには、上述した手順を逆に行う。即ち、図３（ｃ）において、目板４９を外し、次にねじ４７を外して、パネル体９を一方の竪框１５側（図３（ａ）の矢印Ｇと逆方向）にスライドして一方の竪取付枠３７と一方の竪框１５との係合を解除した後、上方に持ち上げて上取付枠３３と上框１３との係止を解除したうえで（図３（ｂ）参照）、図３（ａ）において、係合部２７を回動軸としてパネル体９を矢印Ｆと逆方向に回動させた後（他方の竪取付枠３９を面外方向に回動した後）、係合部２７から被係合部４３を外すように矢印Ｅと逆方向にパネル体９を外す。
【００１２】
本実施の形態によれば、戸本体７にパネル体９を取付けるときには、パネル体９の左右一方の竪取付枠３７の被係合部４３を、対応する位置にある戸本体７の竪框１５の係合部２７に位置合わせして係合させれば、その後はパネル体９を回動して下方に移動することにより、上取付枠３３の被係止部４１を上框１３の係止部２３に上から係止し且つ下取付枠３５を下框１１の載置部１９に載置できるので、位置合わせはパネル体９及び戸本体７の左右一方側のみで済むから、左右及び中央位置で位置合わせが必要な従来と比較して位置合わせ箇所が少なくて済む。
また、戸本体７とパネル体９との位置合わせは、左右一方の竪框１５と対応する一方の竪取付枠３７で行うだけであるから、左右の中間位置に位置合わせ箇所がある従来と比較して位置合わせ箇所が見易い。
特に、パネル体の重量が約４０ｋｇあり通常のものと比較して重い場合には位置合わせ作業がし難いが、本実施の形態によれば左右一方側のみの位置合わせで済むから施工し易い。
戸１を施工する躯体開口部において、躯体や躯体開口部の枠５等がパネル体９の周囲に近接している場合であっても、パネル体９を外すときには、パネル体９を一方の竪框１５側にわずかにスライドすると共に他方の竪取付枠３９を他方の竪框１７から離れる方向（面外方向）に回動し、戸本体７の見付面に対して斜にして引き抜いて外すことができるので、パネル体９に近接する躯体や躯体開口部の枠等が邪魔にならずに外すことができる。同様に、パネル体９を取り付けるときにも、戸本体７の見付面に対してパネル体９の見付面を斜めにして、一方の竪取枠３７を一方の竪框１５に係合し、パネル体９を回動して取り付けできるので、パネル体９に近接する躯体や躯体開口部の枠等が邪魔にならずに取付けできる。したがって、戸１の施工やパネル体９の交換時に、戸１の周囲の躯体や躯体の枠等の制約を受け難い。
また、パネル体９と戸本体７との位置合わせは戸本体７の見付面に対してパネル体９の見付面を斜めにして一方の竪取付枠３７を一方の竪框１５に位置合わせするので、上述のように躯体や躯体開口部の枠等がパネル体の周囲に近接している場合でも、位置合わせ箇所が見易く、取付けが容易にできる。
戸本体７とパネル体９との固定は、他方の竪取付枠３９と対応する竪框１７とをねじ止めするので、ねじ止め作業が戸１の左右の一方側ででき、上框１３と上取付枠３３とを戸の上側でねじ止めする従来に比較して固定作業がし易い。
戸本体７とパネル体９とを固定するねじ４７は目板４９で隠すので外観が良い。
図１に示すように、パネル体９は、戸本体７よりも大きな面積を有しており、パネル体９の左側端（図１の左側）はドア１のヒンジ５３よりもドア枠側に張り出して、室外側からドアの正面を見たときにヒンジ５３を見えなくしているので外観がよい。
また、ドアのハンドル５５は、パネル体９の裏側（室内側）において、他方の竪取付枠３９に固定されているので、ドア１を室外側正面から見たときにハンドル５５の固定部が見えないので外観が良いと共にハンドル５５を他方の竪取付枠３９から外してパネル体９の交換ができるので、パネル体９の交換時にハンドル５５が邪魔にならない。
【００１３】
本発明は、上述した実施の形態に限らず、本発明の要旨を逸脱しない範囲で種々変形可能である。
例えば、図３（ａ）において、戸本体７に対してパネル体９を矢印Ｆ方向に回動させてパネル体９を対面させるときに、図５に示すように下框１１に設けた仮置部２２に一旦仮置きしてから、仮置部２２に載置したパネル体９を仮置部２２の傾斜に添って室内側に向けて移動させ、被係止部４１を係止部２３の上方に位置させた後、更にパネル体９を室内側に移動させることにより、係止部２３に被係止部４１を落とし込むようにして係止させても良い。このようにパネル体９を仮置部２２に載置した状態でパネル体９を移動させることにより係止部２３に被係止部４１を係止できるので、重量のあるパネル体９を長い間持ち上げている要がなく、取付作業性が良い。
また、パネル体９の被係止部４１を戸本体の係止部２３に係止するときには、図５に示すように下框１１の仮置部２２に一旦パネル体９を仮置きしてから、パネル体９を持ち上げて上取付枠３３の被係止部４１を戸本体７の係止部２３に係止しても良い。このようにパネル体９を一旦仮置部２２に仮置きすることで、重量のあるパネル体を長い間持ち続けなくて良いので作業性が良い。
パネル体９を戸本体７から取外すときにも、係止部２３と被係止部４１との係止状態を外した後、パネル体９を仮置部２２に一旦仮置きしてから面外方向への回動作業を開始でき（図３（ａ）の矢印Ｆと反対方向への回動を開始）、重量のあるパネル体９を長い間持ち続ける必要がないので、作業性が良い。
また、図３（ａ）において、係合部２７を回転軸として戸本体７に対してパネル体９を回動して対面させた後、矢印Ｇで示すように、パネル体９を面内方向に移動させてから、図３（ｂ）の矢印Ｈで示すようにパネル体９を下方に移動させて、下框の載置部１９に下取付枠３５を載置すると共に上框１３の係止部２３に上取付枠３３の被係止部を上から係止するものであっても良い。
パネル体９を戸本体７から取り外すときには、一方の竪取付枠３７の被係合部４３と一方の竪框１５の係合部２７との係合の解除と、上取付枠３３の被係止部４１と上框１３の係止部２３との係止の解除は、いずれを先に行っても良い。
下框１１に設けた載置部１９にはスライド段部２１を設けず且つ下取付枠にはスライド部３５ａを設けないものであっても良い。
パネル体９は、戸本体７の室外側見付面に取付けることに限らず、戸本体７の室内側見付面に取付けるものであっても良いし、室外側見付面と室内側見付面との両面に取付けるものであっても良い。
戸１は、開きドアに限らず、引戸であっても良い。
パネル体９は、戸本体７の室内側見付面に取り付けるものであってもよい。
【図面の簡単な説明】
【００１４】
【図１】図４に示す本実施の形態に係る戸のＡ−Ａ断面図である。
【図２】図４に示す本実施の形態に係る戸のＢ−Ｂ断面図である。
【図３】本実施の形態に係る戸の組立て順序を説明する図であり、（ａ）は戸本体にパネル体を係合するときの状態を示す横断面図であり、（ｂ）は戸本体に対してパネル体を下方に移動するときの状態を示す縦断面図であり、（ｃ）は戸本体とパネル体とをねじ止めするときの状態を示す横断面である。
【図４】本実施の形態に係る戸を備えるドアとその周囲部を室内側から見た正面図である。
【図５】本実施の形態に係る戸であって、パネル体の取付ける作業における仮置部とその周囲部分、係止部とその周囲部分を抜き出して示す縦断面図である。
【符号の説明】
【００１５】
１    戸
７    戸本体
９    パネル体
１１  下框
１３  上框
１５  一方の竪框
１７  他方の竪框
１９  載置部
２２  仮置部
２３  係止部
２７  係合部
３２  固定部
３３  上取付枠
３４  被載置部
３５  下取付枠
３７  一方の竪取付枠
３９  他方の竪取付枠
４１  被係止部
４３  被係合部
４５  被固定部
４７  ねじ
【図１】
0004920652.tif 000002
【図２】
0004920652.tif 000003
【図３】
0004920652.tif 000004
【図４】
0004920652.tif 000005
【図５】
0004920652.tif 000006